(57)【要約】【課題】小容量のメモリしか搭載されていない廉価機であっても処理負荷の高いコピー条件でコピーすることが可能なコピー装置及びそのコピー処理の方法を提供すること。【解決手段】現在のコピー条件下で必要な画データ処理をＰＣ側に依頼すると判定した場合には（Ｓ３１：ＹＥＳ）、スキャナ部を動作させてスキャンデータを取得し、その取得したスキャンデータをＰＣ側に送信する（Ｓ３２）。その後、スキャンデータが画データ処理されたプリントデータをＰＣ側から受信すると、プリンタ部を動作させて、そのプリントデータの印刷処理を行う。一方、現在のコピー条件下で必要な画データ処理をＰＣ側に依頼しないと判定した場合には（Ｓ３１：ＮＯ）、複合機（デバイス）単体でのコピー処理を行う（Ｓ３５）。【選択図】図１
2008244912.tif 000002
【特許請求の範囲】
【請求項１】
コピー処理がなされるコピー装置であって、
前記コピー処理時に実行可能な画像処理を示した情報がコピー装置情報として記憶されている記憶部と、
コンピュータと通信する通信インターフェースと、
前記コピー処理時に前記コンピュータが実行可能な画像処理を示した情報を、コンピュータ情報として、前記通信インターフェースを介して前記コンピュータに要求する項目要求手段と、
前記通信インターフェースを介して前記コンピュータから前記コンピュータ情報を受信する項目受信手段と、
所望の画像処理を前記コピー処理時に実行するに際し、前記所望の画像処理を前記コンピュータと連動して実行するか当該コピー装置単独で実行するかを前記コピー装置情報及び前記コンピュータ情報に基づいて判断する判断手段と、
前記所望の画像処理を前記コンピュータ情報と連動して実行すると前記判断手段が判断したことを条件として、前記所望の画像処理の対象である画像データを前記通信インターフェースを介して前記コンピュータに送信する画像データ送信手段と、
前記コンピュータで処理された画像データを前記通信インターフェースを介して前記コンピュータから受信する画像データ受信手段と、
前記所望の画像処理を当該コピー装置単独で実行すると前記判断手段が判断したことを条件として、前記所望の画像処理で画像データを処理する画像処理手段と、
前記所望の画像処理で処理された画像データを印刷部で印刷する印刷手段と、を備えたこと、を特徴とするコピー装置。
【請求項２】
請求項１に記載するコピー装置であって、
前記通信インターフェースを介して前記コンピュータが画像処理を実行可能な状態かどうかを判断する通信判断手段を備えたこと、を特徴とするコピー装置。
【請求項３】
請求項１に記載するコピー装置であって、
前記記憶部に記憶されている前記コンピュータ情報又は前記コピー装置情報で示された画像処理を表示部に選択可能に表示する表示制御手段を備え、
前記判断手段は、前記表示部で選択された画像処理を前記コンピュータと連動して実行するか当該コピー装置単独で実行するかを前記コピー装置情報及び前記コンピュータ情報に基づいて判断すること、を特徴とするコピー装置。
【請求項４】
請求項３に記載するコピー装置であって、
前記コピー処理時に実行可能な複数の画像処理の中で併用可能な処理と併用不可能な処理を示した情報が併用情報として前記記憶部に記憶されており、
前記項目受信手段が受信した前記コンピュータ情報に含まれている画像処理につき、前記コピー処理時に実行可能な複数の画像処理のいずれとも併用可能なことを示した情報を前記併用情報として前記記憶部に記憶する記憶制御手段と、を備え、
前記表示制御手段は、前記コピー処理時に実行可能な複数の画像処理の中で前記表示部で選択された画像処理とは併用不可能な処理を、前記併用情報から特定し、前記表示部に選択不可能に表示すること、を特徴とするコピー装置。
【請求項５】
請求項４に記載するコピー装置であって、
前記コピー処理時に実行可能な複数の画像処理として、
ファイルに含まれている複数ページ分の画像データを縮小・割付して記録紙１枚分の画像データに加工するレイアウト処理と、
ファイルに含まれている複数ページ分の画像データをページ毎に所定枚数の記録紙に印刷するスタック処理と、
複数のファイルにそれぞれ含まれている複数ページ分の画像データをファイル毎に所定枚数の記録紙に印刷するソート処理と、を有し、
前記レイアウト処理が前記スタック処理又は前記ソート処理とは併用不可能となる条件を示した情報が前記併用情報として前記記憶部に記憶されていること、を特徴とするコピー装置。
【請求項６】
請求項１に記載するコピー装置であって、
前記判断手段は、前記項目受信手段が前記コンピュータ情報を受信した際に、前記コンピュータ情報に含まれている画像処理が前記記憶部に記憶されている前記コピー装置情報に含まれているかどうかを判断し、
前記コンピュータ情報に含まれている画像処理であって前記記憶部に記憶されている前記コピー装置情報に含まれていないと前記判断手段が判断した処理を示した情報を、前記コンピュータ情報として前記記憶部に記憶させる記憶制御手段と、を備え、
前記判断手段は、所望の画像処理を前記コピー処理時に実行するに際し、前記所望の画像処理を示した情報が前記記憶部に前記コピー装置情報として記憶されているか前記コンピュータ情報として記憶されているかに基づき、前記コンピュータと連動して実行するか当該コピー装置単独で実行するかを判断すること、を特徴とするコピー装置。
【請求項７】
コピー処理時に実行可能な画像処理を示した情報がコピー装置情報として記憶されている記憶部と、コンピュータと通信する通信インターフェースと、印刷部と、を有するコピー装置でなされるコピー処理の方法であって、
前記通信インターフェースを介して前記コンピュータが画像処理を実行可能な状態かどうかを判断する通信判断ステップと、
前記通信判断ステップで前記コンピュータが画像処理を実行可能な状態と判断したことを条件として、前記コピー処理時に前記コンピュータが実行可能な画像処理を示した情報を、コンピュータ情報として、前記通信インターフェースを介して前記コンピュータに要求する項目要求ステップと、
前記通信インターフェースを介して前記コンピュータから前記コンピュータ情報を受信する項目受信ステップと、
所望の画像処理を前記コピー処理時に実行するに際し、前記所望の画像処理を前記コンピュータと連動して実行するか当該コピー装置単独で実行するかを前記コピー装置情報及び前記コンピュータ情報に基づいて判断する判断ステップと、
前記所望の画像処理を前記コンピュータ情報と連動して実行すると前記判断ステップで判断したことを条件として、前記所望の画像処理の対象である画像データを前記通信インターフェースを介して前記コンピュータに送信する画像データ送信ステップと、
前記コンピュータで処理された画像データを前記通信インターフェースを介して前記コンピュータから受信する画像データ受信ステップと、
前記所望の画像処理を当該コピー装置単独で実行すると前記判断ステップで判断したことを条件として、前記所望の画像処理で画像データを処理する画像処理ステップと、
前記所望の画像処理で処理された画像データを前記印刷部で印刷する印刷ステップと、を備えたこと、を特徴とするコピー処理の方法。
【発明の詳細な説明】
【技術分野】
【０００１】
本発明は、大きな容量のメモリが必要なコピー条件下でコピーするコピー装置及びコピー処理の方法に関するものである。
【背景技術】
【０００２】
従来の複合機には、プリンタ機能やスキャナ機能が搭載されており、これらの機能によってコピー機能が実現されている。また、コピー機能には、４サイクルエンジンのカラーレザー記録やカラーインクジェット記録によるカラーコピーや、複数ページ・複数部の仕分けを同時に行うソートコピー、複数枚の原稿を１枚に集約するページレイアウトコピーなど、様々なコピー条件が存在する。
【０００３】
但し、コピー条件次第では、スキャナ機能で読み取ったスキャンデータを一時的に保存して画像処理する必要があり、その際にメモリ容量を大量に消費することから、負荷の高いコピー処理となっていた。
【０００４】
もっとも、高価な複合機では、ハードディスク等の記憶装置を標準装備することで大きなメモリ容量を確保している。
一方、廉価な複合機では、価格を低く抑えるために、小容量のメモリしか搭載されておらず、スキャナ機能で読み取ったスキャンデータを大量に保存しようとすると、メモリのオーバーフローが発生することから、処理負荷の高いコピーを行うことができず、コピー条件の一部については実現が不可能又は制限されていた。
【０００５】
この点、プリンタ機能を搭載する印刷装置では、自機の能力では不可能な処理負荷の高い印刷をネットワーク上の他の印刷装置に依頼して、その負荷を分散することによって、プリンタ機能（印刷処理速度）のトータル的なアップを図っている（例えば、特許文献１参照）。
【特許文献１】特開２００４−１２７３１０号公報（第１４−１５頁、第７−９図）
【発明の開示】
【発明が解決しようとする課題】
【０００６】
しかしながら、コピー機能においては、プリンタ機能に加えてスキャナ機能との連動が行われることから、ネットワーク上の他のデバイスに負荷分散を依頼することは、プリンタ機能ほどに容易ではない。
【０００７】
但し、複合機が廉価なものであっても、ネットワーク機能が搭載されていれば、パーソナルコンピュータとネットワーク網を構築することができ、さらに、ネットワーク網で複合機に接続されたパーソナルコンピュータにおいて、プリンタ機能とスキャナ機能の連動やコピー機能の画像処理を目的としたアプリケーションソフトを起動させれば、パーソナルコンピュータの大容量記憶装置を使用できることから、処理負荷の高いコピーを行うことが可能となる。
ただ、複数のデバイスが接続されることが多くなった近年のネットワーク網における事情を鑑みれば、処理負荷の高いコピーを行うための画像処理を担うパーソナルコンピュータと、プリンタ機能とスキャナ機能を担う複合機が近くにあるとは限らず、パーソナルコンピュータと複合機が離れていれば、ユーザにとって使い勝手の悪いコピー操作となる。
【０００８】
そこで、本発明は、上述した点を鑑みてなされたものであり、小容量のメモリしか搭載されていない廉価機であっても処理負荷の高いコピー条件でコピーすることが可能なコピー装置及びそのコピー処理の方法を提供することを課題とする。
【課題を解決するための手段】
【０００９】
この課題を解決するために成された請求項１に係る発明は、コピー処理がなされるコピー装置であって、前記コピー処理時に実行可能な画像処理を示した情報がコピー装置情報として記憶されている記憶部と、コンピュータと通信する通信インターフェースと、前記コピー処理時に前記コンピュータが実行可能な画像処理を示した情報を、コンピュータ情報として、前記通信インターフェースを介して前記コンピュータに要求する項目要求手段と、前記通信インターフェースを介して前記コンピュータから前記コンピュータ情報を受信する項目受信手段と、所望の画像処理を前記コピー処理時に実行するに際し、前記所望の画像処理を前記コンピュータと連動して実行するか当該コピー装置単独で実行するかを前記コピー装置情報及び前記コンピュータ情報に基づいて判断する判断手段と、前記所望の画像処理を前記コンピュータ情報と連動して実行すると前記判断手段が判断したことを条件として、前記所望の画像処理の対象である画像データを前記通信インターフェースを介して前記コンピュータに送信する画像データ送信手段と、前記コンピュータで処理された画像データを前記通信インターフェースを介して前記コンピュータから受信する画像データ受信手段と、前記所望の画像処理を当該コピー装置単独で実行すると前記判断手段が判断したことを条件として、前記所望の画像処理で画像データを処理する画像処理手段と、前記所望の画像処理で処理された画像データを印刷部で印刷する印刷手段と、を備えたこと、を特徴とする。
【００１０】
また、請求項２に係る発明は、請求項１に記載するコピー装置であって、前記通信インターフェースを介して前記コンピュータが画像処理を実行可能な状態かどうかを判断する通信判断手段を備えたこと、を特徴とする。
【００１１】
また、請求項３に係る発明は、請求項１に記載するコピー装置であって、前記記憶部に記憶されている前記コンピュータ情報又は前記コピー装置情報で示された画像処理を表示部に選択可能に表示する表示制御手段を備え、前記判断手段は、前記表示部で選択された画像処理を前記コンピュータと連動して実行するか当該コピー装置単独で実行するかを前記コピー装置情報及び前記コンピュータ情報に基づいて判断すること、を特徴とする。
【００１２】
また、請求項４に係る発明は、請求項３に記載するコピー装置であって、前記コピー処理時に実行可能な複数の画像処理の中で併用可能な処理と併用不可能な処理を示した情報が併用情報として前記記憶部に記憶されており、前記項目受信手段が受信した前記コンピュータ情報に含まれている画像処理につき、前記コピー処理時に実行可能な複数の画像処理のいずれとも併用可能なことを示した情報を前記併用情報として前記記憶部に記憶する記憶制御手段と、を備え、前記表示制御手段は、前記コピー処理時に実行可能な複数の画像処理の中で前記表示部で選択された画像処理とは併用不可能な処理を、前記併用情報から特定し、前記表示部に選択不可能に表示すること、を特徴とする。
【００１３】
また、請求項５に係る発明は、請求項４に記載するコピー装置であって、前記コピー処理時に実行可能な複数の画像処理として、ファイルに含まれている複数ページ分の画像データを縮小・割付して記録紙１枚分の画像データに加工するレイアウト処理と、ファイルに含まれている複数ページ分の画像データをページ毎に所定枚数の記録紙に印刷するスタック処理と、複数のファイルにそれぞれ含まれている複数ページ分の画像データをファイル毎に所定枚数の記録紙に印刷するソート処理と、を有し、前記レイアウト処理が前記スタック処理又は前記ソート処理とは併用不可能となる条件を示した情報が前記併用情報として前記記憶部に記憶されていること、を特徴とする。
【００１４】
また、請求項６に係る発明は、請求項１に記載するコピー装置であって、前記判断手段は、前記項目受信手段が前記コンピュータ情報を受信した際に、前記コンピュータ情報に含まれている画像処理が前記記憶部に記憶されている前記コピー装置情報に含まれているかどうかを判断し、前記コンピュータ情報に含まれている画像処理であって前記記憶部に記憶されている前記コピー装置情報に含まれていないと前記判断手段が判断した処理を示した情報を、前記コンピュータ情報として前記記憶部に記憶させる記憶制御手段と、を備え、前記判断手段は、所望の画像処理を前記コピー処理時に実行するに際し、前記所望の画像処理を示した情報が前記記憶部に前記コピー装置情報として記憶されているか前記コンピュータ情報として記憶されているかに基づき、前記コンピュータと連動して実行するか当該コピー装置単独で実行するかを判断すること、を特徴とする。
【００１５】
また、請求項７に係る発明は、コピー処理時に実行可能な画像処理を示した情報がコピー装置情報として記憶されている記憶部と、コンピュータと通信する通信インターフェースと、印刷部と、を有するコピー装置でなされるコピー処理の方法であって、前記通信インターフェースを介して前記コンピュータが画像処理を実行可能な状態かどうかを判断する通信判断ステップと、前記通信判断ステップで前記コンピュータが画像処理を実行可能な状態と判断したことを条件として、前記コピー処理時に前記コンピュータが実行可能な画像処理を示した情報を、コンピュータ情報として、前記通信インターフェースを介して前記コンピュータに要求する項目要求ステップと、前記通信インターフェースを介して前記コンピュータから前記コンピュータ情報を受信する項目受信ステップと、所望の画像処理を前記コピー処理時に実行するに際し、前記所望の画像処理を前記コンピュータと連動して実行するか当該コピー装置単独で実行するかを前記コピー装置情報及び前記コンピュータ情報に基づいて判断する判断ステップと、前記所望の画像処理を前記コンピュータ情報と連動して実行すると前記判断ステップで判断したことを条件として、前記所望の画像処理の対象である画像データを前記通信インターフェースを介して前記コンピュータに送信する画像データ送信ステップと、前記コンピュータで処理された画像データを前記通信インターフェースを介して前記コンピュータから受信する画像データ受信ステップと、前記所望の画像処理を当該コピー装置単独で実行すると前記判断ステップで判断したことを条件として、前記所望の画像処理で画像データを処理する画像処理ステップと、前記所望の画像処理で処理された画像データを前記印刷部で印刷する印刷ステップと、を備えたこと、を特徴とする。
【発明の効果】
【００１６】
すなわち、請求項１に係る発明のコピー装置では、小容量のメモリしか搭載されていない廉価機であっても処理負荷の高いコピー条件でコピーすることが可能である。また、コピー装置単体でのコピーも実行できる。
【００１７】
尚、これらの点は、請求項７に係る発明のコピー処理の方法においても、同様である。
【００１８】
また、請求項２に係る発明のコピー装置では、例えば、コンピュータがビジーやフリーズの状態に陥っていれば、コンピュータでの画像処理が遅くなったり、不可能となることを鑑み、上記のような構成を有することにより、コンピュータの動作状況に応じて、コンピュータで実行可能な画像処理を行わせることができる。
【００１９】
また、請求項３に係る発明のコピー装置では、自機単独又はコンピュータと連動して実行可能な画像処理のうち、ユーザが任意に選択する画像処理を実行することが可能となる。
【００２０】
また、請求項４に係る発明のコピー装置では、自機単独では併用して行えなかった複数の画像処理を併用して行うことができる。
【００２１】
また、請求項５に係る発明のコピー装置では、自機単独では併用して行えなかったレイアウト処理とスタック処理の組合せ又は、自機単独では併用して行えなかったレイアウト処理とソート処理の組合せについて、併用して行うことができる。
【００２２】
また、請求項６に係る発明のコピー装置では、コピー装置情報とコンピュータ情報における重複を回避する構成になっていることから、コンピュータに不要な負荷をかけることがない。
特に、近年のネットワーク網における事情を鑑みれば、コンピュータに対しては多数のデバイスが接続されていることが考えられ、このような環境下にあれば、それらのデバイスに対しても不要な負荷をかけることがないので、負荷軽減の効果が総合的に大きくなる。
また、請求項６に係る発明のコピー装置では、予めコンピュータ情報をコンピュータに問い合わせて、コンピュータと連動するかを判断していることから、コンピュータと通信できない状態にあっても、コピーの実行は可能である。
【発明を実施するための最良の形態】
【００２３】
〔本発明の特徴〕
以下、本発明の実施の形態を図面を参照にして説明する。本実施形態の複合機では、様々なコピー条件下でコピーすることが可能であるが、コピー条件次第では、メモリのオーバーフローを回避するため、コピーすることが制限される。そこで、本実施形態の複合機は、パーソナルコンピュータ（以下、「ＰＣ」という）と接続することにより、コピーシステムを構築し、そのＰＣ上でコピー条件に必要な画像処理等を負担してもらうことで、複合機単独では制限されていたコピーを可能にしている。
【００２４】
以下、その特徴を具体的に説明する。図７乃至図１１は、本実施形態の複合機におけるコピー設定画面の一例を示した図である。本実施形態の複合機では、デフォルトの状態では、例えば、図７に示すコピー設定画面５０Ａになっている。コピー設定画面５０Ａでは、「部数」と、「カラー／モノクロ」、「レイアウトコピー」、「スタック／ソート」の各コピー条件が、それぞれの欄に分割されている。
【００２５】
「部数」の欄では、コピー条件として、コピー部数が示されており、デフォルト設定では「１」部とされる。
【００２６】
「レイアウトコピー」の欄では、コピー条件として、「オフ（１ｉｎ１）」「２ｉｎ１」「４ｉｎ１」「ポスター印刷（２×２）」が示されており、デフォルト設定では「オフ（１ｉｎ１）」とされる。この点、「オフ（１ｉｎ１）」とは、１枚の原稿を１枚の用紙にコピーする通常のコピーを意味する。そして、デフォルト設定では、この「オフ（１ｉｎ１）」とされる。
尚、「２ｉｎ１」とは、２枚の原稿を１枚に集約するページレイアウトコピーを意味し、「４ｉｎ１」とは、４枚の原稿を１枚に集約するページレイアウトコピーを意味する。
【００２７】
「スタック／ソート」の欄では、コピー条件として、コピー後の用紙仕分け態様の「スタック」「ソート」が示されており、デフォルト設定では「スタック」とされる。
【００２８】
そして、本実施形態の複合機では、単独状態において、図８に示すコピー設定画面５０Ｂのように、「２ｉｎ１」のコピー条件が設定され、さらに、「部数」として「２」部のコピー条件が設定されると、「スタック／ソート」の欄から「ソート」が消え、「ソート」のコピー条件を併合して設定することは不可能となる。
【００２９】
また、本実施形態の複合機では、単独状態において、図９に示すコピー設定画面５０Ｃのように、「ソート」のコピー条件が設定され、さらに、「部数」として「２」部のコピー条件が設定されると、「レイアウトコピー」の欄から「２ｉｎ１」「４ｉｎ１」が消え、「２ｉｎ１」又は「４ｉｎ１」のコピー条件を併合して設定することは不可能となる。
【００３０】
また、本実施形態の複合機では、単独状態において、図１０に示すコピー設定画面５０Ｄのように、「カラー」のコピー条件が設定され、さらに、「部数」として「３」のコピー条件が設定されると、「レイアウトコピー」の欄から「２ｉｎ１」「４ｉｎ１」が消え、「２ｉｎ１」又は「４ｉｎ１」のレイアウトコピーの設定を併合して行うことは不可能となり、さらに、「スタック／ソート」の欄から「ソート」が消え、「ソート」のコピー条件を併合して設定することは不可能となる。
【００３１】
このように、図８乃至図１０に示されたコピー条件の併合設定に対する制限は、主に、本実施形態の複合機に搭載されたメモリの容量不足が明確であることによる。そこで、本実施形態の複合機では、上述したように、コピーシステムを構築するＰＣに対しコピー条件に必要な画像処理等を負担してもらうことで、メモリの容量不足を解消し、複合機単独では制限されていたコピー条件下のコピーを可能とする。
【００３２】
その結果、本実施形態の複合機では、図１１に示すコピー設定画面５０Ｅのように、コピー条件の併合設定に対する制限がなくなり、例えば、「カラー」のコピー条件が設定され、さらに、「部数」として「３」のコピー条件が設定されることによって、多量のデータ保持を必要とするコピー条件の組合せになったとしても、「２ｉｎ１」又は「４ｉｎ１」のコピー条件を併合して設定することが可能であるので、「レイアウトコピー」の欄から「２ｉｎ１」「４ｉｎ１」が消えることがない。さらに、「ソート」のコピー条件を併合して設定することも可能であるので、「スタック／ソート」の欄から「ソート」が消えることはない。
【００３３】
次に、このような本発明の特徴を論理的に説明する。図１２乃至図１４は、機能制限マトリックスの一例を示した図である。尚、図１２乃至図１４の各機能制限マトリックスにおいて、「○」は併合設定が可能であるコピー条件の組合せを意味し、「×」は併合設定が不可能であるコピー条件の組合せであることを意味する。また、図１２乃至図１４の各機能制限マトリックスは、論理的な説明をするために例示したものであって、上記図８乃至図１０に示した各コピー設定画面５０と整合するとは限らない。
【００３４】
図１２は、本実施形態の複合機のデフォルト設定（デバイスの初期状態）での機能制限マトリックスを示した図である。図１２に示すように、本実施形態の複合機では、単独状態において、「モノクロ」のコピー条件が設定されると、機能制限マトリックス１００Ａに示すように、「スタック」のコピー条件に対しては、「オフ（１ｉｎ１）」「２ｉｎ１」「４ｉｎ１」「ポスター印刷（２×２）」のいずれのコピー条件も併合設定が可能であるが、「ソート」のコピー条件に対しては、「オフ（１ｉｎ１）」のコピー条件のみが併合設定が可能となる。一方、「カラー」のコピー条件が設定されると、機能制限マトリックス１０１Ａに示すように、「スタック」のコピー条件に対しては、「オフ（１ｉｎ１）」「ポスター印刷（２×２）」のコピー条件が併合設定が可能であるが、「ソート」のコピー条件に対しては、「オフ（１ｉｎ１）」のコピー条件のみ併合設定が可能となる。
【００３５】
図１３は、本実施形態の複合機に接続されたＰＣで画像処理することが可能なコピー条件の組合せの一例を、処理可能項目として、機能制限マトリックスで示した図である。図１３の機能制限マトリックス２００、２０１に示すように、本実施形態の複合機に接続されたＰＣでは、「モノクロ」「カラー」のいずれのコピー条件が設定されている場合でも、「スタック」及び「ソート」のコピー条件に対して、「オフ（１ｉｎ１）」「２ｉｎ１」「４ｉｎ１」「ポスター印刷（２×２）」のいずれのコピー条件も併合設定が可能である。
【００３６】
そこで、本実施形態の複合機は、ＰＣとは接続されている状態では、ＰＣで画像処理することが可能なコピー条件の組合せを、処理可能項目に関するデータとしてＰＣから取得し、その取得データ（図１３参照）とデフォルト設定（図１２参照）を照合して、図１４の機能制限マトリックス１１０、１１１に示すように、複合機単独で併合設定可能なコピー条件の組合せの下での画像処理については自機内で行い、複合機単独で併合設定不可能なコピー条件の組合せの下での画像処理についてはＰＣと連動して行うようにする。
尚、図１４の機能制限マトリックス１１０、１１１において、「○」は複合機単独で画像処理を行うコピー条件の組合せを意味し、「ＰＣ」は複合機とＰＣが連動して画像処理を行うコピー条件の組合せを意味する。
【００３７】
〔本発明の構成〕
図２に、本実施形態の複合機３と当該複合機３に接続されたＰＣ２とで構築するコピーシステム１の外観を示す。図２に示すように、コピーシステム１は、ＰＣ２とそのデバイスである複合機３とから基本的に構成されている。また、ＰＣ２と複合機３はＬＡＮケーブルやＵＳＢ（Universal Serial Bus）ケーブル等を介して双方向通信可能に接続されている。
【００３８】
ＰＣ２には、オペレーティングシステム（以下、「ＯＳ」という）などが搭載され、入出力機能、主記憶部であるメモリや補助記憶部であるハードディスクに対するアクセス機能など、アプリケーションから共通して利用される基本機能は、ＯＳによって提供されている。尚、ＯＳによって提供される各種機能そのものは公知なので、ここでの詳細な説明は省略する。
【００３９】
また、ＰＣ２には、複合機３をＰＣ２側から制御して印刷を行う為のプリンタドライバがインストールされている。それにより、ＰＣ２側のプリントデータを複合機３側で印刷することができる。
【００４０】
一方、複合機３には、表示画面を背面から照明するバックライト付の液晶ディスプレイ（以下、「ＬＣＤ」という）４９が表示部として設けられており、上記図８乃至図１０に示した各コピー設定画面５０の全部又は一部が表示される。
【００４１】
図３は、本実施形態の複合機３と当該複合機３に接続されたＰＣ２とで構築するコピーシステム１のブロック図である。
図２及び図３に示すＰＣ２は、ＣＰＵ、複合機３等と通信を行うための通信用Ｉ／Ｆ、ＲＡＭ、ＲＯＭ、ＨＤＤなどの記憶部などから構成されており、記憶部には、後述する図６の処理をＣＰＵが実行するためのプログラム等も記憶され、さらに、ＰＣ２で画像処理することが可能なコピー条件の組合せが、処理可能項目に関するデータとして、例えば、上記図１３に示すような機能制限マトリックス２００、２０１として記憶されている。
【００４２】
一方、複合機３には、ＣＰＵ４１や、ＲＯＭ４２、記憶部であるＲＡＭ４３、プリンタ部４５、スキャナ部４６、操作部４７、通信インターフェースである通信用Ｉ／Ｆ４８、表示部であるＬＣＤ４９などがバス４４を介して接続されている。ＲＯＭ４２には、後述する図１、図４、図５の処理をＣＰＵ４１が実行するための各プログラム等が記憶され、さらに、上記図１２に示すような機能制限マトリックス１００Ａ、１０１Ａも記憶されている。ＲＡＭ４３には、スキャナ部４６で読みとったスキャンデータを保持・画像処理などを行うためのエリアが確保され、また、上記図１４に示すような機能制限マトリックス１１０、１１１が記憶される。プリンタ部４５やスキャナ部４６は、複合機３におけるプリンタ機能やスキャナ機能をそれぞれ実行するものであり、さらに、プリンタ機能及びスキャナ機能を実行することによって、複合機３におけるコピー機能を実行するものである。
【００４３】
操作部４７は、操作パネル上の設定ボタン等で構成されており、例えば、「部数」、「カラー／モノクロ」、「レイアウトコピー」、「スタック／ソート」のコピー条件などの設定を行うものである。通信用Ｉ／Ｆ４８は、ＰＣ２等の外部機器との通信を行うためのものである。
【００４４】
〔本発明の動作〕
以下、上述した本発明の特徴を実現するための動作について説明する。
図４は、本実施形態の複合機３が実行する初期設定処理開始プログラムを示したフローチャート図である。尚、複合機３の起動時に、図１２の機能制限マトリックス１００Ａ、１０１ＡがＲＯＭ４２からＲＡＭ４３にコピーされている。
【００４５】
複合機３のＣＰＵ４１は、図４にフローチャートで示された初期設定処理開始プログラムを実行すると、先ず、Ｓ１１において、外部処理を依頼するＰＣ２がオンラインであるか否かを判定する。ここで、外部処理とは、複合機３がＰＣ２と連動して行う画像処理をいう。ここで、外部処理を依頼するＰＣ２がオフラインであると判定した場合には（Ｓ１１：ＮＯ）、このプログラムを終了する。一方、外部処理を依頼するＰＣ２がオンラインであると判定した場合には（Ｓ１１：ＹＥＳ）、Ｓ１２に進む。
【００４６】
Ｓ１２では、複合機３のＣＰＵ４１は、ＰＣ２の処理可能項目を取得する。ＰＣ２の処理可能項目とは、例えば、上記図１３の機能制限マトリックス２００、２０１で示されたような、ＰＣ２で画像処理することが可能なコピー条件の組合せを示した項目である。
【００４７】
その後、Ｓ１３に進むと、複合機３のＣＰＵ４１は、処理可能項目リストの作成が終了するまで、Ｓ１６までのループ１の処理を繰り返す。このループ処理では、先ず、Ｓ１４において、複合機３のＣＰＵ４１は、機能制限マトリックス上でデバイス単体では不可能な処理か否かを判定する。すなわち、この判定では、複合機３のＣＰＵ４１は、上記図１２に示すようなデフォルト設定時の機能制限マトリックス１００Ａ、１０１Ａに基づき、複合機３単独で画像処理を行うコピー条件の組合せであるか否かを判定する。
【００４８】
ここで、機能制限マトリックス上でデバイス単体では不可能な処理であると判定した場合には（Ｓ１４：ＹＥＳ）、複合機３のＣＰＵ４１は、Ｓ１５に進んで、この画データ処理をＰＣ２側に依頼する処理として設定した後、上記Ｓ１３に戻る（Ｓ１６）。このＳ１５における設定を具体的に言えば、ＲＡＭ４３上にコピーされた機能制限マトリックスにおいて、複合機３単独で画像処理を行うコピー条件の組合せを意味する「○」を、複合機３とＰＣ２が連動して画像処理を行うコピー条件の組合せを意味する「ＰＣ」に変更することである。一方、機能制限マトリックス上でデバイス単体で可能な処理であると判定した場合には（Ｓ１４：ＮＯ）、デフォルト設定を維持して、この画データ処理を複合機３内の処理として設定する。具体的に言えば、ＲＡＭ４３上にコピーされた機能制限マトリックスにおいて、複合機３単独で画像処理を行うコピー条件の組合せを意味する「○」を維持することである。
【００４９】
このようにして、上記Ｓ１２で取得したＰＣ２の処理可能項目のそれぞれについて、上記Ｓ１４の判定を繰り返し、処理可能項目リストとして、上記図１４に示すような機能制限マトリックス１１０、１１１の作成を行い、この作成が終了すると、本プログラムを終了する。尚、このようにして作成された処理可能項目リストは、図１４に示される機能制限マトリックスとしてＲＡＭ４３に記憶される。
【００５０】
図５は、本実施形態の複合機３が実行するメニュー処理開始プログラムを示したフローチャート図である。尚、図５にフローチャートで示されたメニュー処理開始プログラムは、上記図４にフローチャートで示された初期設定処理開始プログラムの実行後に、複合機３のＣＰＵ４１により実行される。
【００５１】
複合機３のＣＰＵ４１は、図５にフローチャートで示されたメニュー処理開始プログラムを実行すると、先ず、Ｓ２１において、複合機３のＣＰＵ４１は、上記Ｓ１３からＳ１６のループ処理で処理可能項目リストとして作成された機能制限マトリックス１１０、１１１（図１４参照）に従って、複合機３単体又は複合機３とＰＣ２の連動で画像処理できる項目を表示する。例えば、上記図１１に示されたコピー設定画面５０ＥなどをＬＣＤ４９に表示する。
【００５２】
その後、Ｓ２２に進むと、複合機３のＣＰＵ４１は、コピー開始が指示されたか否かを判定する。この判定は、操作部４７からの信号に基づく。ここで、コピー開始が指示されていないと判定された場合には（Ｓ２２：ＮＯ）、複合機３のＣＰＵ４１は、Ｓ２３に進んで、処理項目、すなわちコピー条件が選択されたか否かを判定する。この判定も、操作部４７からの信号に基づく。ここで、処理項目が選択されたと判定された場合には（Ｓ２３：ＹＥＳ）、上記Ｓ２１に戻って、上述した処理を繰り返す。これにより、ＬＣＤ４９に表示されているコピー設定画面５０において、選択された処理項目、すなわちコピー条件に関し、複合機３単体又は複合機３とＰＣ２の連動で画像処理できる項目、すなわち併合設定可能なコピー条件を表示し直す。一方、上記Ｓ２２において、処理項目が選択されていないと判定された場合には（Ｓ２３：ＮＯ）、上記Ｓ２２に戻って、上述した処理を繰り返し、コピー開始が指示されたか否かを判定する。
【００５３】
尚、上記Ｓ２２において、コピー開始が指示されたと判定された場合には（Ｓ２２：ＹＥＳ）、複合機３のＣＰＵ４１は、Ｓ２４に進んで、コピー処理を起動し、その後に、本プログラムを終了する。
【００５４】
図１は、本実施形態の複合機３が実行するコピー処理開始プログラムを示したフローチャート図である。尚、図１にフローチャートで示されたコピー処理開始プログラムは、上記図５にフローチャートで示されたメニュー処理開始プログラムのＳ２４を実行した際に、複合機３のＣＰＵ４１により実行される。
【００５５】
複合機３のＣＰＵ４１は、図１にフローチャートで示されたコピー処理開始プログラムを実行すると、先ず、Ｓ３１において、現在のコピー条件下で必要な画像処理（画データ処理）について、画データ処理をＰＣ２側に依頼するか否かを判定する。この判定は、上記Ｓ１３からＳ１６のループ処理で処理可能項目リストとして作成された機能制限マトリックス１１０、１１１（図１４参照）に基づく。ここで、画データ処理をＰＣ２側に依頼すると判定した場合には（Ｓ３１：ＹＥＳ）、Ｓ３２に進む。
【００５６】
Ｓ３２では、複合機３のＣＰＵ４１は、依頼する画データ処理を必要とする現在のコピー条件（コピー設定）をＰＣ２側に送信する。さらに、複合機３のＣＰＵ４１は、Ｓ３３に進んで、スキャナ部４６を動作させて原稿からスキャンデータを取得し、その取得したスキャンデータをＰＣ２側に送信する。
【００５７】
その後、Ｓ３４に進むと、複合機３のＣＰＵ４１は、スキャンデータが画データ処理されたプリントデータをＰＣ２側から受信し、プリンタ部４５を動作させて、そのプリントデータの印刷処理を行い、その後に、本プログラムを終了する。
【００５８】
一方、上記Ｓ３１において、画データ処理をＰＣ２側に依頼しないと判定した場合には（Ｓ３１：ＮＯ）、複合機３のＣＰＵ４１は、Ｓ３５に進んで、複合機３（デバイス）単体でのコピー処理（スキャナ部４６の動作・ＲＡＭ４３を使用した画データ処理・プリンタ部４５の動作などの一連の処理）を行い、その後に、このプログラムを終了する。
【００５９】
図６は、本実施形態の複合機３に接続されたＰＣ２が実行するプログラム常駐開始プログラムを示したフローチャート図である。
【００６０】
ＰＣ２のＣＰＵは、図６にフローチャートで示されたプログラム常駐開始プログラムを実行すると、先ず、Ｓ１０１において、デバイスである複合機３側からの処理可能項目の問い合わせ（上記図４のＳ１２参照）があるか否かを判定する。ここで、デバイスである複合機３側からの処理可能項目の問い合わせがあると判定した場合には（Ｓ１０１：ＹＥＳ）、Ｓ１０２に進んで、ＰＣ２のＣＰＵは、処理可能項目リストをデバイスである複合機３側に通知し、後述するＳ１０５に進む。処理可能項目リストとは、例えば、上記図１３の機能制限マトリックス２００、２０１で示されたような、ＰＣ２で画像処理することが可能なコピー条件の組合せを示した項目のリストである。一方、上記Ｓ１０１において、デバイスである複合機３側からの処理可能項目の問い合わせがないと判定した場合には（Ｓ１０１：ＮＯ）、Ｓ１０３に進む。
【００６１】
Ｓ１０３では、ＰＣ２のＣＰＵは、デバイスである複合機３側からの画データ処理の依頼（上記図１のＳ３１乃至Ｓ３３参照）があるか否かを判定する。ここで、デバイスである複合機３側からの画データ処理の依頼がないと判定する場合には（Ｓ１０３：ＮＯ）、何もすることなく、後述するＳ１０５に進むが、デバイスである複合機３側からの画データ処理の依頼があると判定する場合には（Ｓ１０３：ＹＥＳ）、Ｓ１０４に進んで、ＰＣ２のＣＰＵは、その依頼の画データ処理をＨＤＤ２５を使用して行った後、後述するＳ１０５に進む。尚、Ｓ１０４で行われる画データ処理は、上記図１のＳ３２で複合機３側から依頼とともに送信されてきたコピー設定（依頼する画データ処理を必要とする現在のコピー条件）より知ることができる。
【００６２】
Ｓ１０５では、ＰＣ２のＣＰＵは、本プログラムを終了するか否かを判定する。ここで、本プログラムを終了しないと判定した場合には（Ｓ１０５：ＮＯ）、上述したＳ１０１に戻って、上述した処理を繰り返す。一方、本プログラムを終了すると判定した場合には（Ｓ１０５：ＹＥＳ）、本プログラムを終了する。
【００６３】
〔まとめ〕
以上詳細に説明したように、本実施の形態の複合機３及び、この複合機３で行われるコピー処理の方法において、コピー処理の起動時（Ｓ２４）に実行する画データ処理に関し、ＰＣ２とは接続されている状態では、ＰＣ２で画データ処理することが可能なコピー条件の組合せを、処理可能項目に関するデータとしてＰＣ２から取得し（Ｓ１２）、その取得データ（図１３参照）とデフォルト設定（図１２参照）を照合して、図１４の機能制限マトリックス１１０、１１１に示すような処理可能項目リストを作成し（Ｓ１３乃至Ｓ１６）、この作成された処理可能項目リストに基づいて、複合機３単独で画像処理可能なコピー条件の組合せ（図１４の機能制限マトリックス１１０、１１１で「○」）の下での画データ処理については自機内で行い（Ｓ３５）、複合機３単独で画像処理不可能なコピー条件の組合せ（図１４の機能制限マトリックス１１０、１１１で「ＰＣ」）の下での画データ処理についてはＰＣ２と連動して行うようにしている（Ｓ３２、Ｓ３３、Ｓ１０４）。
【００６４】
従って、処理負荷の高いコピー条件にとって必要な画データ処理を複合機３でなくＰＣ２が負担できる構成になっていることから、小容量のメモリであるＲＡＭ４３しか搭載されていない複合機３であっても処理負荷の高いコピー条件でコピーすることが可能である。
【００６５】
また、本実施の形態の複合機３及び、この複合機３で行われるコピー処理の方法では、図１４の機能制限マトリックス１１０、１１１に示すような処理可能項目リストを作成しＲＡＭ４３に記憶することから（Ｓ１３乃至Ｓ１６）、処理可能項目リストが一度作成・記憶されてしまえば、ＰＣ２と通信できない状態にあっても（Ｓ１１：ＮＯ）、コピーの実行は可能である。
【００６６】
また、本実施の形態の複合機３では、処理可能項目リストとして作成された機能制限マトリックス１１０、１１１（図１４参照）に従って、複合機３単体又は複合機３とＰＣ２の連動で画データ処理できる項目、すなわち併合設定可能なコピー条件の組合せを、例えば、上記図１１に示されたコピー設定画面５０Ｅなどを介してＬＣＤ４９に表示する（Ｓ２１）。従って、ユーザは、複合機３単体又は複合機３とＰＣ２の連動で画データ処理できる項目、すなわち併合設定可能なコピー条件のうち、所望する複数のコピー条件を操作部４７を介して任意に併合設定することができ（Ｓ２３：ＹＥＳ）、また、複合機３では、ユーザが任意に併合設定したコピー条件の組合せの下でのコピーを行うことが可能となる（Ｓ２４）。
【００６７】
また、本実施の形態の複合機３単独では、コピー条件の組合せによっては、「２ｉｎ１」「４ｉｎ１」のレイアウトコピーと「スタック」「ソート」の仕分けコピーの各コピー条件を併用させて設定することはできないことがあったが（図８乃至図１０の各コピー設定画面５０参照）、複合機３とＰＣ２の連動で画データ処理を行うことによって（Ｓ３２、Ｓ３３、Ｓ１０４）、「２ｉｎ１」「４ｉｎ１」のレイアウトコピーと「スタック」「ソート」の仕分けコピーとをいずれのコピー条件も併用させて設定することが可能となった（図１１のコピー設定画面５０Ｅ参照）。
【００６８】
すなわち、本実施の形態の複合機３単独では、ＲＡＭ４３のメモリ容量の少なさから、併用して設定することができなかったコピー条件の組合せであっても、そのコピー条件の組合の下で必要な画データ処理を複合機３とＰＣ２の連動により行うので（Ｓ３２、Ｓ３３、Ｓ１０４）、ＲＡＭ４３のメモリ容量が変わらなくても、そのコピー条件の組合せの下でのコピーをすることが可能となる。
【００６９】
また、本実施の形態の複合機３では、ＰＣ２から取得したデータ（図１３参照）とデフォルト設定（図１２参照）を照合することにより、図１４の機能制限マトリックス１１０、１１１に示すような処理可能項目リストを作成するに際して（Ｓ１３乃至Ｓ１６）、複合機３単独で併合設定不可能なコピー条件の組合せの下での画データ処理に限ってＰＣ２と連動して行うようにしており（図１４の機能制限マトリックス１１０、１１１で「ＰＣ」）、複合機３単独で併合設定可能なコピー条件の組合せの下での画データ処理については、ＰＣ２単独で併合設定可能なコピー条件の組合せの下での画データ処理であっても、自機内で行うようにしている（図１４の機能制限マトリックス１１０、１１１で「○」）。すなわち、複合機３とＰＣ２のいずれも単独で併合設定可能なコピー条件の組合せの下での画データ処理については、複合機３とＰＣ２の双方で行われるような重複を避けるとともに、ＰＣ２でなく複合機３のみで行うようになっていることから、ＰＣ２に不要な負荷をかけることがない。
【００７０】
特に、近年のネットワーク網における事情を鑑みれば、コピーシステム１にあっても、ＰＣ２に対しては多数のデバイスが接続されていることが考えられ、このような環境下にあれば、それらのデバイスに対しても不要な負荷をかけることがないので、負荷軽減の効果が総合的に大きくなる。
【００７１】
〔その他〕
尚、本発明は上記実施の形態に限定されるものでなく、その趣旨を逸脱しない範囲で様々な変更が可能である。
例えば、本実施形態の複合機３のデフォルト設定（デバイスの初期状態）での機能制限マトリックスは、原稿サイズや解像度等にも影響される。図１５乃至図１８は、原稿サイズや解像度に影響された機能制限マトリックスの一例を示した図である。尚、図１５乃至図１８の各機能制限マトリックスにおいて、「○」は併合設定が可能であるコピー条件の組合せを意味し、「×」は併合設定が不可能であるコピー条件の組合せを意味する。
【００７２】
例えば、図１５に示すように、本実施形態の複合機３では、単独状態において、原稿サイズが「Ａ４」で解像度が「６００×６００ｄｐｉ」の「モノクロ」の各コピー条件が設定されると、機能制限マトリックス１００Ｂに示すように、「スタック」のコピー条件に対しては、「オフ（１ｉｎ１）」「２ｉｎ１」「４ｉｎ１」「ポスター印刷（２×２）」のいずれのコピー条件も併合設定が可能であるが、「ソート」のコピー条件に対しては、「オフ（１ｉｎ１）」のコピー条件のみ併合設定が可能となる。一方、同様なスペック（原稿サイズが「Ａ４」で解像度が「６００×６００ｄｐｉ」の各コピー条件）で「カラー」のコピー条件が設定されると、機能制限マトリックス１０１Ｂに示すように、「スタック」のコピー条件に対しては、「オフ（１ｉｎ１）」「ポスター印刷（２×２）」のコピー条件が併合設定が可能であるが、「ソート」のコピー条件に対しては、「オフ（１ｉｎ１）」のコピー条件のみ併合設定が可能となる。
【００７３】
また、図１６に示すように、本実施形態の複合機３では、単独状態において、原稿サイズが「Ａ４」で解像度が「１２００×１２００ｄｐｉ」の「モノクロ」の各コピー条件が設定されると、機能制限マトリックス１００Ｃに示すように、「スタック」のコピー条件に対しては、「オフ（１ｉｎ１）」「２ｉｎ１」「４ｉｎ１」「ポスター印刷（２×２）」のいずれのコピー条件も併合設定が可能であるが、「ソート」のコピー条件に対しては、「オフ（１ｉｎ１）」のコピー条件のみ併合設定が可能となる。一方、同様なスペック（原稿サイズが「Ａ４」で解像度が「１２００×１２００ｄｐｉ」の各コピー条件）で「カラー」のコピー条件が設定されると、機能制限マトリックス１０１Ｃに示すように、「スタック」のコピー条件に対しては、「オフ（１ｉｎ１）」のコピー条件のみが併合設定が可能であるが、「ソート」のコピー条件に対しては、「オフ（１ｉｎ１）」「２ｉｎ１」「４ｉｎ１」「ポスター印刷（２×２）」のいずれのコピー条件も併合設定が不可能となる。
【００７４】
また、図１７に示すように、本実施形態の複合機３では、単独状態において、原稿サイズが「Ａ３」で解像度が「６００×６００ｄｐｉ」の「モノクロ」の各コピー条件が設定されると、機能制限マトリックス１００Ｄに示すように、「スタック」のコピー条件に対しては、「オフ（１ｉｎ１）」「２ｉｎ１」「４ｉｎ１」「ポスター印刷（２×２）」のいずれのコピー条件も併合設定が可能であるが、「ソート」のコピー条件に対しては、「オフ（１ｉｎ１）」のコピー条件のみ併合設定が可能となる。一方、同様なスペック（原稿サイズが「Ａ３」で解像度が「６００×６００ｄｐｉ」の各コピー条件）で「カラー」のコピー条件が設定されると、機能制限マトリックス１０１Ｄに示すように、「スタック」のコピー条件に対しては、「オフ（１ｉｎ１）」「ポスター印刷（２×２）」のコピー条件が併合設定が可能であるが、「ソート」のコピー条件に対しては、「オフ（１ｉｎ１）」「２ｉｎ１」「４ｉｎ１」「ポスター印刷（２×２）」のいずれのコピー条件も併合設定が不可能となる。
【００７５】
また、図１８に示すように、本実施形態の複合機３では、単独状態において、原稿サイズが「Ａ３」で解像度が「１２００×１２００ｄｐｉ」の「モノクロ」の各コピー条件が設定されると、機能制限マトリックス１００Ｅに示すように、「スタック」のコピー条件に対しては、「オフ（１ｉｎ１）」「ポスター印刷（２×２）」のコピー条件が併合設定が可能であるが、「ソート」のコピー条件に対しては、「オフ（１ｉｎ１）」「２ｉｎ１」「４ｉｎ１」「ポスター印刷（２×２）」のいずれのコピー条件も併合設定が不可能となる。一方、同様なスペック（原稿サイズが「Ａ３」で解像度が「１２００×１２００ｄｐｉ」の各コピー条件）で「カラー」のコピー条件が設定されると、機能制限マトリックス１０１Ｅに示すように、「スタック」と「ソート」のいずれのコピー条件に対しても、「オフ（１ｉｎ１）」「２ｉｎ１」「４ｉｎ１」「ポスター印刷（２×２）」のいずれのコピー条件も併合設定が不可能となる。
【００７６】
このように、原稿サイズや解像度により機能制限の内容が異なる各機能制限マトリックス１００、１０１（図１５乃至図１８参照）をデフォルトデータとして有していても、本実施形態の複合機３では、同様にして、ＰＣ２とは接続されている状態では、ＰＣ２で画像処理することが可能なコピー条件の組合せを、処理可能項目に関するデータとしてＰＣ２から取得し、その取得データ（図１３参照）とデフォルト設定（図１５乃至図１８参照）を照合して、図１４の機能制限マトリックス１１０、１１１に示すように、複合機３単独で併合設定可能なコピー条件の組合せの下での画像処理については自機内で行い、複合機３単独で併合設定不可能なコピー条件の組合わせの下での画像処理についてはＰＣ２と連動して行うようにする。
【００７７】
また、本実施形態の複合機３では、例えば、ＰＣ２がビジーやフリーズの状態に陥っていれば、ＰＣ２での画データ処理が遅くなったり、不可能となることが考えられるが、図１のＳ３１におけるＰＣ２側への依頼を、通信用Ｉ／Ｆ４８を介して取得したＰＣ２の動作状況に応じ、ＰＣ２が画データ処理を実行できるタイミングを図って行うようにしてもよい。
【００７８】
また、図４のＳ１３〜Ｓ１６のループで、図１４に示す機能制限マトリックス１１０、１１１を作成する例を示したが、図４の処理では、ＰＣ２から受信した機能制限マトリックス２００、２０１をそのまま記憶し、図１のＳ３１において、機能制限マトリックス２００、２０１で「○」となっており、かつ、複合機３で単独処理できない項目について、ＰＣ２に処理を依頼すると判断してもよい。
【産業上の利用可能性】
【００７９】
本発明は、大きな容量のメモリが必要なコピー条件下でコピーする技術に適用し得る。
【図面の簡単な説明】
【００８０】
【図１】本実施形態の複合機が実行するコピー処理開始プログラムを示したフローチャート図である。
【図２】本実施形態のコピーシステムの外観を示した図である。
【図３】本実施形態のコピーシステムのブロック図である。
【図４】本実施形態の複合機が実行する初期設定処理開始プログラムを示したフローチャート図である。
【図５】本実施形態の複合機が実行するメニュー処理開始プログラムを示したフローチャート図である。
【図６】本実施形態の複合機に接続されたＰＣが実行するプログラム常駐開始プログラムを示したフローチャート図である。
【図７】本実施形態の複合機におけるコピー設定画面の一例を示した図である。
【図８】本実施形態の複合機におけるコピー設定画面の一例を示した図である。
【図９】本実施形態の複合機におけるコピー設定画面の一例を示した図である。
【図１０】本実施形態の複合機におけるコピー設定画面の一例を示した図である。
【図１１】本実施形態の複合機におけるコピー設定画面の一例を示した図である。
【図１２】本実施形態の複合機のデフォルト設定（デバイスの初期状態）での機能制限マトリックスの一例を示した図である。
【図１３】本実施形態の複合機に接続されたＰＣが処理可能な項目の一例を機能制限マトリックスで示した図である。
【図１４】本実施形態の複合機の機能制限マトリックスの一例であって、本実施形態の複合機に接続されたＰＣが処理可能な項目を反映した後のものを示した図である。
【図１５】本実施形態の複合機のデフォルト設定（デバイスの初期状態）での機能制限マトリックスのその他の例を示した図である。
【図１６】本実施形態の複合機のデフォルト設定（デバイスの初期状態）での機能制限マトリックスのその他の例を示した図である。
【図１７】本実施形態の複合機のデフォルト設定（デバイスの初期状態）での機能制限マトリックスのその他の例を示した図である。
【図１８】本実施形態の複合機のデフォルト設定（デバイスの初期状態）での機能制限マトリックスのその他の例を示した図である。
【符号の説明】
【００８１】
１  コピーシステム
２  ＰＣ（パーソナルコンピュータ）
３  複合機
４１  ＣＰＵ
４２  ＲＯＭ
４３  ＲＡＭ
４５  プリンタ部
４６  スキャナ部
４８  通信用Ｉ／Ｆ
４９  ＬＣＤ
【図１】
2008244912.tif 000003
【図２】
2008244912.tif 000004
【図３】
2008244912.tif 000005
【図４】
2008244912.tif 000006
【図５】
2008244912.tif 000007
【図６】
2008244912.tif 000008
【図７】
2008244912.tif 000009
【図８】
2008244912.tif 000010
【図９】
2008244912.tif 000011
【図１０】
2008244912.tif 000012
【図１１】
2008244912.tif 000013
【図１２】
2008244912.tif 000014
【図１３】
2008244912.tif 000015
【図１４】
2008244912.tif 000016
【図１５】
2008244912.tif 000017
【図１６】
2008244912.tif 000018
【図１７】
2008244912.tif 000019
【図１８】
2008244912.tif 000020